(57)【要約】【課題】  スリープ状態での電力制御を最適に行うことで、後処理装置による手差し用紙処理時の消費電力を抑え、また余計な処理待ち時間の発生を防止することで、効率の良い手差し用紙処理が行える画像形成システムおよびその制御方法を提供すること。【解決手段】  画像形成装置と、この画像形成装置に装着され、画像形成装置から排出されるシートを導入する他、手差しトレイからシートを導入して所定の後処理を行う後処理装置とを含み、システムの待機状況に基づいて、全ユニットに電力を供給する通常モードと、一部のユニットにのみ電力を供給する省電力モードとを切り換える電力制御が行われる（Ｓ１００５〜１０１１）。また、この電力制御の下、所定のイベントに基づき、手差しトレイからシートを導入して行うマニュアル後処理の要求を発行することが可能である。そして、上記電力制御においては、省電力モードで動作中にマニュアル後処理の要求があったときは（Ｓ１０１３，１０１５）、マニュアル後処理に必要なユニットに追加的に電力が供給される（Ｓ１０１９）。【選択図】  図９
2005246870.tif 000002
【特許請求の範囲】
【請求項１】
供給されるプリントデータに基づいてシート上に画像を形成する画像形成装置と、
前記画像形成装置から排出されるシートを導入する第１の給紙手段と、ユーザによりマニュアルで載置されたシートを供給する第２の給紙手段とを備え、第１または第２の給紙手段からのシートを選択的に導入して所定の後処理を行う後処理装置と、
を含む画像形成システムであって、
システムの待機状況に基づいて、全てのユニットに電力を供給する通常モードと、一部のユニットにのみ電力を供給する省電力モードとを切り換える電力制御手段と、
前記第２の給紙手段からのシートを導入して行う前記所定の後処理であるマニュアル後処理の実行を要求する要求手段と、
を有し、
前記電力制御手段は、省電力モードで動作中に前記要求手段により前記マニュアル後処理の要求があったときは、前記マニュアル後処理に必要なユニットに追加的に電力を供給する
ことを特徴とする画像形成システム。
【請求項２】
前記電力制御手段はさらに、通常モードで動作中に前記マニュアル後処理が行われている間に通常モードから省電力モードに移行する場合であっても、前記マニュアル後処理に必要なユニットへの電力供給を維持することを特徴とする請求項１に記載の画像形成システム。
【請求項３】
前記電力制御手段はさらに、省電力モードでの動作中に行われた前記マニュアル後処理が完了したときは、前記マニュアル後処理に必要なユニットへの電力の供給を停止することを特徴とする請求項１または２に記載の画像形成システム。
【請求項４】
前記電力制御手段はさらに、省電力モードで動作中になされた前記要求手段による前記マニュアル後処理の要求に応じて前記マニュアル後処理に必要なユニットに追加的な電力の供給を開始してから所定時間を経過しても前記マニュアル後処理が完了していないときは、前記マニュアル後処理に必要なユニットへの電力の供給を停止することを特徴とする請求項１から３までのいずれかに記載の画像形成システム。
【請求項５】
前記要求手段は、前記画像形成装置もしくは前記後処理装置に配される所定の操作キーが押下されたことに応じて、前記要求を発行することを特徴とする請求項１から４までのいずれかに記載の画像形成システム。
【請求項６】
前記後処理装置は、第２の給紙手段にシートがセットされたことを検出する検出手段を含み、
前記要求手段は、前記検出手段により第２の給紙手段にシートがセットされたことが検出されたことに応じて、前記要求を発行することを特徴とする請求項１から４までのいずれかに記載の画像形成システム。
【請求項７】
前記後処理装置は、第２の給紙手段にシートがセットされたことを検出する検出手段を含み、
前記要求手段は、前記画像形成装置もしくは前記後処理装置に配される所定の操作キーが押下されたこと、または、前記検出手段により第２の給紙手段にシートがセットされたことが検出されたことに応じて、前記要求を発行することを特徴とする請求項１から４までのいずれかに記載の画像形成システム。
【請求項８】
前記所定の後処理は、導入したシート束をステイプルで綴じるステイプル処理および、導入したシート束にパンチ穴をあけるパンチ処理の少なくともいずれかを含むことを特徴とする請求項１から７までのいずれかに記載の画像形成システム。
【請求項９】
供給されるプリントデータに基づいてシート上に画像を形成する画像形成装置と、
前記画像形成装置から排出されるシートを導入する第１の給紙手段と、ユーザによりマニュアルで載置されたシートを供給する第２の給紙手段とを備え、第１または第２の給紙手段からのシートを選択的に導入して所定の後処理を行う後処理装置と、
を含む画像形成システムの制御方法であって、
システムの待機状況に基づいて、全てのユニットに電力を供給する通常モードと、一部のユニットにのみ電力を供給する省電力モードとを切り換える電力制御ステップと、
前記電力制御ステップによる制御の下、前記第２の給紙手段からのシートを導入して行う前記所定の後処理であるマニュアル後処理の実行を要求する要求ステップと、
を有し、
前記電力制御ステップは、省電力モードで動作中に前記要求ステップにより前記マニュアル後処理の要求があったときは、前記マニュアル後処理に必要なユニットに追加的に電力を供給する
ことを特徴とする画像形成システムの制御方法。
【請求項１０】
前記電力制御ステップはさらに、通常モードで動作中に前記マニュアル後処理が行われている間に通常モードから省電力モードに移行する場合であっても、前記マニュアル後処理に必要なユニットへの電力供給を維持することを特徴とする請求項９に記載の画像形成システムの制御方法。
【請求項１１】
前記電力制御ステップはさらに、省電力モードでの動作中に行われた前記マニュアル後処理が完了したときは、前記マニュアル後処理に必要なユニットへの電力の供給を停止することを特徴とする請求項９または１０に記載の画像形成システムの制御方法。
【請求項１２】
前記電力制御ステップはさらに、省電力モードで動作中になされた前記要求ステップによる前記マニュアル後処理の要求に応じて前記マニュアル後処理に必要なユニットに追加的な電力の供給を開始してから所定時間を経過しても前記マニュアル後処理が完了していないときは、前記マニュアル後処理に必要なユニットへの電力の供給を停止することを特徴とする請求項９から１１までのいずれかに記載の画像形成システムの制御方法。
【請求項１３】
前記要求ステップは、前記画像形成装置もしくは前記後処理装置に配される所定の操作キーが押下されたことに応じて、前記要求を発行することを特徴とする請求項９から１２までのいずれかに記載の画像形成システムの制御方法。
【請求項１４】
第２の給紙手段にシートがセットされたことを検出する検出ステップを更に有し、
前記要求ステップは、前記検出ステップにより第２の給紙手段にシートがセットされたことが検出されたことに応じて、前記要求を発行することを特徴とする請求項９から１２までのいずれかに記載の画像形成システムの制御方法。
【請求項１５】
第２の給紙手段にシートがセットされたことを検出する検出ステップを更に有し、
前記要求ステップは、前記画像形成装置もしくは前記後処理装置に配される所定の操作キーが押下されたこと、または、前記検出ステップにより第２の給紙手段にシートがセットされたことが検出されたことに応じて、前記要求を発行することを特徴とする請求項９から１２までのいずれかに記載の画像形成システムの制御方法。
【発明の詳細な説明】
【技術分野】
【０００１】
本発明は、画像形成システムおよびその制御方法に関し、特に、画像形成装置と、この画像形成装置に装着され、ステイプル処理等の後処理を行うシート処理装置（後処理装置）とを含む画像形成システムおよびその制御方法に関する。
【背景技術】
【０００２】
手差し用紙の綴じ処理などの後処理が可能なシート処理装置（後処理装置）を備える画像形成システムがある（例えば、特許文献１参照。）。
【０００３】
このシステムによれば、画像形成装置に接続されるシート処理装置において、すでに画像形成装置から排出された複数枚のシートをユーザがシートセット挿入口にセットし、マニュアルで後処理を行うことができる。
【０００４】
【特許文献１】特開平７−１５７１７９号公報
【発明の開示】
【発明が解決しようとする課題】
【０００５】
しかしながら、このような機能を使用するためには、画像形成システム全体がウェイクアップ状態（通常電力供給状態）である必要があり、いわゆる省電力モード（スリープモード）の場合は、システム全体を一旦ウェイクアップすることとなる。また、上記したようなマニュアルによる後処理中はスリープモードに移行できないため、余計な電力の消費や、システム全体のスタンバイの待ち時間が発生していた。
【０００６】
本発明の目的は、スリープ状態での電力制御を最適に行うことで、後処理装置による手差し用紙処理時の消費電力を抑え、また余計な処理待ち時間の発生を防止することで、効率の良い手差し用紙処理が行える画像形成システムおよびその制御方法を提供することにある。
【課題を解決するための手段】
【０００７】
上記した課題は、本発明の画像形成システム及びその制御方法によって解決される。本発明に係る画像形成システムは基本的に、画像形成装置と、この画像形成装置に装着され、画像形成装置から排出されるシートを導入する他、手差しトレイからシートを導入して所定の後処理を行う後処理装置とを含む構成である。本システムでは、システムの待機状況に基づいて、全てのユニットに電力を供給する通常モードと、一部のユニットにのみ電力を供給する省電力モードとを切り換える電力制御が行われる。また、この電力制御の下、所定のイベントに基づき、手差しトレイからのシートを導入して行う前記所定の後処理であるマニュアル後処理の要求を発行することが可能である。そして、上記電力制御においては、省電力モードで動作中にマニュアル後処理の要求があったときは、マニュアル後処理に必要なユニットに追加的に電力が供給される。
【発明の効果】
【０００８】
本発明によれば、画像形成システムが省電力モード中にマニュアルで後処理を行う場合に、システム全体へ電力供給を行うことが無く余計な電力の消費が防止できる。また、システム全体に対して電力復帰を行う必要がなくなり、マニュアル後処理に直接関係しない箇所の電力復帰処理によってスタンバイ待ちが長くなるのを防止できる。これらによって、効率の良い手差し用紙処理が行える画像形成システムおよびその制御方法が提供される。
【発明を実施するための最良の形態】
【０００９】
以下、図面を参照して本発明の好適な実施形態について詳細に説明する。
【００１０】
図１は、本発明の実施の形態に係る画像形成システムの構成を示す模式図である。本画像形成システムは、図１に示すように、原稿画像を読み取るイメージリーダ２００およびプリンタ３００を有する画像形成装置１０００と、折り装置４００と、フィニッシャ５００とを含む構成である。
【００１１】
イメージリーダ２００には、原稿給送装置１００が搭載されている。原稿給送装置１００は、原稿トレイ上に上向きにセットされた原稿Ｐを先頭頁から順に１枚ずつ左方向へ給紙し、湾曲したパスを介してプラテンガラス１０２上を左から流し読み取り位置を経て右へ搬送し、その後外部の排紙トレイ１１２に向けて排出する。この原稿がプラテンガラス１０２上の流し読み取り位置を左から右へ向けて通過するときに、この原稿画像は流し読み取り位置に対応する位置に保持されたスキャナユニット１０４により読み取られる。この読み取り方法を原稿流し読みと称す。
【００１２】
原稿が流し読み取り位置を通過する際に、原稿の読み取り面がスキャナユニット１０４のランプ１０３の光で照射され、その原稿からの反射光がミラー１０５、１０６、１０７を介してレンズ１０８に導かれる。このレンズ１０８を通過した光は、イメージセンサ１０９の撮像面に結像する。
【００１３】
このように流し読み取り位置を左から右へ通過するように原稿を搬送することによって、原稿の搬送方向に対して直交する方向を主走査方向とし、搬送方向を副走査方向とする原稿読み取り走査が行われる。すなわち、原稿が流し読み取り位置を通過する際に主走査方向に原稿画像を１ライン毎にイメージセンサ１０９で読み取りながら、原稿を副走査方向に搬送することによって原稿画像全体の読み取りが行われ、光学的に読み取られた画像はイメージセンサ１０９によって画像データに変換されて出力される。
【００１４】
イメージセンサ１０９から出力された画像データは、後述する画像信号制御部２０２において所定の処理が施された後にプリンタ３００の露光制御部１１０にビデオ信号として入力される。
【００１５】
なお、原稿給送装置１００により原稿をプラテンガラス１０２上に搬送して所定位置に停止させ、この状態でスキャナユニット１０４を左から右へ走査させることにより原稿を読み取ることも可能である。この読み取り方法を原稿固定読みと称す。
【００１６】
原稿給送装置１００を使用しないで原稿を読み取るときには、まず、ユーザにより原稿給送装置１００を持ち上げてプラテンガラス１０２上に原稿を載置し、そして、スキャナユニット１０４を左から右へ走査させることにより原稿の読み取りを行う。すなわち、原稿給送装置１００を使用しないで原稿を読み取るときには、原稿固定読みが行われる。
【００１７】
プリンタ３００の露光制御部１１０は、入力されたビデオ信号に基づきレーザ光を変調して出力し、該レーザ光はポリゴンミラーなどにより走査されながら感光ドラム１１１上に照射される。感光ドラム１１１には走査されたレーザ光に応じた静電潜像が形成される。
【００１８】
この感光ドラム１１１の静電潜像は、現像器１１３から供給される現像剤によって現像剤像として可視像化される。また、レーザ光の照射開始と同期したタイミングで、各カセット１１４，１１５、手差給紙部１２５または両面搬送パス１２４から用紙が給紙され、この用紙は感光ドラム１１１と転写部１１６との間に搬送される。感光ドラム１１１に形成された現像剤像は転写部１１６により給紙された用紙上に転写される。
【００１９】
現像剤像が転写された用紙は定着部１１７に搬送され、定着部１１７は用紙を熱圧することによって現像剤像を用紙上に定着させる。定着部１１７を通過した用紙はフラッパ１２１および排出ローラ１１８を経てプリンタ３００から外部（折り装置４００）に向けて排出される。
【００２０】
ここで、用紙をその画像形成面が下向きになる状態（フェイスダウン）で排出するときには、定着部１１７を通過した用紙をフラッパ１２１の切換動作により一旦反転パス１２２内に導き、その用紙の後端がフラッパ１２１を通過した後に、用紙をスイッチバックさせて排出ローラ１１８によりプリンタ３００から排出する。以下、この排紙形態を反転排紙と呼ぶ。この反転排紙は、原稿給送装置１００を使用して読み取った画像を形成するときまたはコンピュータから出力された画像を形成するときなどのように先頭頁から順に画像形成するときに行われ、その排紙後の用紙順序は正しい頁順になる。
【００２１】
また、手差給紙部１２５からＯＨＰシートなどの硬い用紙が給紙され、この用紙に画像を形成するときには、用紙を反転パス１２２に導くことなく、画像形成面を上向きにした状態（フェイスアップ）で排出ローラ１１８により排出する。
【００２２】
さらに、用紙の両面に画像形成を行う両面記録が設定されている場合には、フラッパ１２１の切換動作により用紙を反転パス１２２に導いた後に両面搬送パス１２４へ搬送し、両面搬送パス１２４へ導かれた用紙を上述したタイミングで感光ドラム１１１と転写部１１６との間に再度給紙する制御が行われる。
【００２３】
次に、固定原稿読みと原稿流し読みとのそれぞれにおける画像形成について図２を参照しながら説明する。図２は図１の画像形成装置の固定原稿読みと原稿流し読みとのそれぞれにおける画像形成に関する流れを示す図である。
【００２４】
原稿固定読み時には、上述したように、スキャナユニット１０４を左から右へ走査することによって原稿画像を走査する。すなわち、図２（ａ）に示すように、原稿画像に対して、主走査方向をＳｙ、副走査方向をＳｘとする読取走査が行われ、イメージセンサ１０９により画像が読み取られる。このイメージセンサ１０９で読み取られた画像に関しては、その主走査方向Ｓｙに読み取った画像を露光制御部１１０で順にレーザ光に変換し、そのレーザ光をポリゴンミラー１１０ａで走査することによって感光ドラム１１１上に静電潜像を形成する。このようにして形成された静電潜像を用紙に転写すると、用紙上には鏡像でない画像が形成されることになる。
【００２５】
これに対し、原稿流し読み時には、図２（ｂ）に示すように、原稿画像に対して、主走査方向をＳｙ、副走査方向をＳｘとする読取走査が行われ、イメージセンサ１０９により画像が読み取られる。ここで、原稿流し読み時には、原稿が左から右に向けて搬送されるから、副走査方向に関しては固定原稿読み時の副走査方向と逆の方向になる。よって、イメージセンサ１０９により読み取られた画像は原稿画像に対して鏡像となり、この鏡像を正しい画像に修正する必要がある。そこで、イメージセンサ１０９で読み取った画像に対して、正しい画像にするための鏡像処理が施される。この鏡像処理では、主走査方向の一方の向きに対して読み取った画像をその主走査方向の一方の向きに対して逆向きに反転させる。この鏡像処理によりイメージセンサ１０９で読み取った画像は正しい画像に変換され、感光ドラム１１１上には鏡像処理後の静電潜像が形成される。このようにして形成された静電潜像を用紙に転写すると、用紙上には鏡像でない画像が形成されることになる。そして、この画像が形成された用紙は、反転排紙によりその画像形成面を下に向けた状態で排出されることになり、この反転排紙により排出された用紙の後端側は画像の左端になるから、後述するように、フィニッシャ５００により後端側を綴じれば、画像に対して用紙の左端を綴じることが可能になる。
【００２６】
なお、副走査方向を入れ替えることによって鏡像処理を行うことも可能であるが、この場合、１頁分の画像の読取が終了しないと、鏡像処理を行うことができないことや、また反転排紙後の後端綴じによって用紙の画像左端位置を綴じることを考慮すると、主走査方向を入れ替えることによる鏡像処理が好ましい。
【００２７】
プリンタ３００から排出された用紙は折り装置４００に送られる。この折り装置４００は、用紙をＺ形に折りたたむ処理を行う。例えば、Ａ３サイズやＢ４サイズのシートでかつ折り処理が指定されているときには、折り装置４００で折り処理を行い、それ以外の場合、プリンタ３００から排出された用紙は折り装置４００を通過してフィニッシャ５００に送られる。このフィニッシャ５００には、画像が形成された用紙に挿入するための表紙、合紙などの特殊用紙を給送するインサータ９００が設けられている。フィニッシャ５００では、製本処理、綴じ処理や穴あけなどの各処理を行う。
【００２８】
次に、本システム全体の制御を司るコントローラの構成について図３を参照しながら説明する。図３は図１の画像形成システム全体の制御を司るコントローラの構成を示すブロック図である。
【００２９】
コントローラは、図３に示すように、ＣＰＵ回路部１５０を有し、ＣＰＵ回路部１５０は、ＣＰＵ（図示せず）、ＲＯＭ１５１、ＲＡＭ１５２を内蔵し、ＲＯＭ１５１に格納されている制御プログラムにより各ブロック１０１，１５３，１５４，２０１，２０２，２０９，３０１，４０１，５０１を総括的に制御する。ＲＡＭ１５２は、制御データを一時的に保持し、また制御に伴う演算処理の作業領域として用いられる。
【００３０】
原稿給送装置制御部１０１は、原稿給送装置１００をＣＰＵ回路部１５０からの指示に基づき駆動制御する。イメージリーダ制御部２０１は、上述のスキャナユニット１０４、イメージセンサ１０９などに対する駆動制御を行い、イメージセンサ１０９から出力されたアナログ画像信号を画像信号制御部２０２に転送する。
【００３１】
画像信号制御部２０２は、イメージセンサ１０９からのアナログ画像信号をデジタル信号に変換した後に各処理を施し、このデジタル信号をビデオ信号に変換してプリンタ制御部３０１に出力する。また、コンピュータ２１０から外部Ｉ／Ｆ２０９を介して入力されたデジタル画像信号に各種処理を施し、このデジタル画像信号をビデオ信号に変換してプリンタ制御部３０１に出力する。この画像信号制御部２０２による処理動作は、ＣＰＵ回路部１５０により制御される。プリンタ制御部３０１は、入力されたビデオ信号に基づき上述の露光制御部１１０を駆動する。
【００３２】
操作部１５３は、画像形成に関する各種機能を設定する複数のキー、設定状態を示す情報を表示するための表示部などを有し、各キーの操作に対応するキー信号をＣＰＵ回路部１５０に出力するとともに、ＣＰＵ回路部１５０からの信号に基づき対応する情報を表示部に表示する。
【００３３】
その詳細は、図７に示すように、１９１は電源スイッチで、オンすることで、装置が使用可能となる。１８０はＬＣＤのタッチパネルとなっており、コピーのモードなど詳細を表示したり、また設定したりするのに用いる。１８２はコピー開始キーでコピーを行う際に押下することで、動作が開始される。
【００３４】
１９２はストップキーでコピーなどの動作を途中で中止される場合に押下する。１８３はリセットキーで、設定したモードを初期値に戻すのに用いる。１８６はテンキーで、コピー部数など数値の設定の際に用いる。１９０はステータス表示部で、機器の状態を表示する。１８１はクリアキーで、１８６で設定した数値の初期化を行う際に押下する。
【００３５】
１８９は省エネスイッチ／表示部で、押下すると、ＬＣＤ１８０を消灯するとともに、ＣＰＵ１５０と一部の入力ポートを除いて、電力の供給を停止する。このとき１８９は、橙色に点灯し、省エネ中であることをユーザに通知する。この状態で再度押下すると、通常の電力供給状態に復帰し、表示は消灯する。１８８は、マニュアル後処理許可キーで、省エネ状態の時に、マニュアルステイプルや、マニュアル・サドルスティッチなどのフィニッシャ単体動作を許可するスイッチで、押下すると、マニュアル後処理を行う際に必要となる個所に対する電源を通常状態に復帰させる。
【００３６】
１８４は、ユーザモードキーで、ユーザ固有の設定を行う場合に押下する。１８５は、ガイドキーで、操作の説明をＬＣＤ１８０上に表示する。
【００３７】
図６Ａは、電源制御部１５４の制御系統を示すブロック図である。図示のように、電源制御部１５４は、ＣＰＵ１５０からの指令に基づき、原稿給送装置制御部１０１、イメージリーダ制御部２０１、画像信号制御部２０２、プリンタ制御部３０１、操作部１５３、折り装置制御部４０１に対する電力供給を制御する。また、フィニッシャ制御部５０１に対しては、図示のように電源系統１〜３（５０１ａ〜５０１ｃ）の３系統に分けて、それぞれに対する電力供給の制御がなされる。
【００３８】
ここで、フィニッシャ制御部電源系統１は例えば、図６Ｂに示すように、インサートトレイセンサＳＷ１と処理トレイセンサＳＷ２に対する電源系統である。フィニッシャ制御部電源系統２は例えば、図６Ｃに示すように、インサートトレイセンサＳＷ３、ステイプルモータＭ１、ステイプラ・スライドモータＭ２に対する電源系統である。また、フィニッシャ制御部電源系統３は例えば、図６Ｄに示すように、入り口パスセンサＳＷ４、排紙パスセンサＳＷ５、入り口搬送モータＭ３、バッファ搬送モータＭ４等に対する電源系統である。
【００３９】
通常、電源オン時には、通常モードとして、各制御部に対して電力の供給を行うが、スリープモードなどの省電力モードに移行する際には、スリープ解除に必要な一部の制御部及び電源系統のみを除いて電力供給をオフする。これとは別に、スリープ中にマニュアル後処理などシステム全体に対して電力供給をする必要が無い場合は、マニュアル後処理を行うのに必要な制御部、及び電源系統のみ電力供給を行う。
【００４０】
このような各モードにおける電源供給制御は例えば、図１２に示すような構造のテーブルを参照して実行される。このようなテーブルは例えばＲＯＭ１５１に格納される。同図によれば、先ず通常モードでは、全ての制御部、及び電源系統への電力供給は全てオンにされる。一方スリープモードでは、マニュアル後処理が許可状態であるか否かで、その電力供給状態は異なり、許可状態の場合は、マニュアル後処理を実行するために必要な制御部、及び電源系統への電力の供給が行われる。また許可状態にない場合は、操作部、画像信号制御部、フィニッシャ制御部電源系統１を除く制御部、若しくは電源系統への電力の供給は行われない。
【００４１】
また、スリープモードについては、一定の時間、操作部１５３の操作が行われなかったり、外部Ｉ／Ｆ２０９を介して画像情報が画像信号制御部２０２に送信されなった場合、また専用の省エネスイッチ１８９が押下された場合などに、システム全体の電力消費を軽減する目的で、スリープモードに移行する。
【００４２】
また、スリープモードからの復帰は、外部Ｉ／Ｆ２０９からの画像情報が画像信号制御部２０２に送信された場合や、専用の省エネスイッチ１８９が押下された場合となる。
【００４３】
また更に、スリープモード中にマニュアル後処理許可キー１８８を押下することで、スリープ中であってもマニュアル後処理を行うことが出来るようになっている。
【００４４】
折り装置制御部４０１は折り装置４００に搭載され、ＣＰＵ回路部１５０と情報のやり取りを行うことによって折り装置全体の駆動制御を行う。
【００４５】
フィニッシャ制御部５０１はフィニッシャ５００に搭載され、ＣＰＵ回路部１５０と情報のやり取りを行うことによってフィニッシャ全体の駆動制御を行う。この制御内容については後述する。
【００４６】
次に、画像信号制御部２０２の構成について図４を参照しながら説明する。図４は図３の画像信号制御部２０２の構成を示すブロック図である。
【００４７】
画像信号制御部２０２は、図４に示すように、イメージリーダ制御部２０１からのアナログ画像信号をデジタル信号に変換し、このデジタル信号に各種処理を施す画像処理部２０３を有する。この画像処理部２０３においては、シェーディング補正、濃度補正、操作部１５３により設定された編集処理（拡大、縮小の変倍処理など）などの各処理が行われ、この処理後の信号はビデオデータとしてラインメモリ２０４に格納される。また、製本モードが選択されたときには、読み込んだ原稿頁数、外部Ｉ／Ｆ２０９を介して入力された画像データ頁数に基づき用紙への画像割り付けを行う。
【００４８】
ラインメモリ２０４は上述した鏡像処理を行うためのメモリであり、必要に応じてこのメモリ上で、主走査方向の一方の向きに対して読み取った１ライン分のビデオデータがその主走査方向の一方の向きに対して逆向きに入れ替えられる。ラインメモリ２０４から出力されたビデオデータはページメモリ２０５に格納される。
【００４９】
ページメモリ２０５は所定サイズの原稿１ページ分の記憶容量を有し、ビデオデータは、ラインメモリ２０４から出力された順にページメモリ２０５に格納される。原稿固定読み取り時には、この格納されたビデオデータは格納された順に読み出される。また、ページメモリ２０５は、コンピュータ２１０から外部Ｉ／Ｆ２０９を介して出力されたデータを格納する。
【００５０】
ページメモリ２０５から読み出されたビデオデータは、直接プリンタ制御部３０１に送出され、また必要に応じて一旦ハードディスク２０６に格納された後にプリンタ制御部３０１に送出される。このハードディスク２０６は、頁順を入れ替える処理に用いられる。
【００５１】
次に、折り装置４００およびフィニッシャ５００の構成について図５を参照しながら説明する。図５は図１の折り装置４００およびフィニッシャ５００の構成を示す模式図である。
【００５２】
折り装置４００は、図５に示すように、プリンタ３００から排出された用紙を導入し、フィニッシャ５００側に導くための折り搬送水平パス４０２を有する。折り搬送水平パス４０２上には、搬送ローラ対４０３および搬送ローラ対４０４が設けられている。また、折り搬送水平パス４０２の出口部（フィニッシャ５００側）には、折りパス選択フラッパ４１０が設けられている。この折りパス選択フラッパ４１０は、折り搬送水平パス４０２上の用紙を折りパス４２０またはフィニッシャ側５００に導くための切換動作を行う。
【００５３】
ここで、折り処理を行う場合には、折りパス選択フラッパ４１０がオンされ、用紙が折りパス４２０に導かれる。折りパス４２０に導かれた用紙は、折りローラ４２１まで搬送されてＺ形に折りたたまれる。これに対し、折り処理を行わない場合には、折りパス選択フラッパ４１０がオフされ、用紙はプリンタ３００から折り搬送水平パス４０２を介してフィニッシャ５００に直接に送られる。
【００５４】
フィニッシャ５００は、折り装置４００を介して排出された用紙を順に取り込み、取り込んだ複数の用紙を整合して１つの束に束ねる処理、束ねた用紙束の後端をステイプルで綴じるステイプル処理、取り込んだ用紙の後端付近に孔あけをするパンチ処理、ソート処理、ノンソート処理、製本処理などの各シート後処理を行う。
【００５５】
フィニッシャ５００は、図５に示すように、プリンタ３００から折り装置４００を介して排出された用紙を内部に導くための入口ローラ対５０２を有する。この入口ローラ対５０２の下流には、用紙をフィニッシャパス５５２、または第１製本パス５５３に導くための切換フラッパ５５１が設けられている。
【００５６】
フィニッシャパス５５２に導かれた用紙は、搬送ローラ対５０３を介してバッファローラ５０５に向けて送られる。搬送ローラ対５０３とバッファローラ５０５は、正逆転可能に構成されている。
【００５７】
入口ローラ対５０２と搬送ローラ対５０３間には、入口センサ５３１が設けられている。また、入口センサ５３１の用紙搬送方向上流近傍においては、第２製本パス５５４がフィニッシャパス５５２から分岐している。以下、この分岐点を分岐Ａと呼ぶ。この分岐Ａは、入口ローラ対５０２から搬送ローラ対５０３に用紙を搬送するための搬送路への分岐を成すが、搬送ローラ対５０３が逆転して用紙を搬送ローラ対５０３側から入口センサ５３１側に搬送する際には、第２製本パス５５４側のみに搬送されるワンウェイ機構を有する分岐を成す。
【００５８】
搬送ローラ対５０３とバッファローラ５０５間には、パンチユニット５５０が設けられており、パンチユニット５５０は必要に応じて動作し、搬送されてきた用紙の後端付近に穿孔する。
【００５９】
バッファローラ５０５は、その外周に送られた用紙を所定枚数積層して巻き付け可能なローラであって、必要に応じてこのローラの外周には各押下コロ５１２，５１３，５１４により巻き付けられる。バッファローラ５０５に巻き付けられた用紙はバッファローラ５０５の回転方向に搬送される。
【００６０】
押下コロ５１３，５１４間には切換フラッパ５１０が配置されており、押下コロ５１４の下流には切換フラッパ５１１が配置されている。切換フラッパ５１０はバッファローラ５０５に巻き付けられた用紙をバッファローラ５０５から剥離してノンソートパス５２１、またはソートパス５２２に導くためのフラッパであり、切換フラッパ５１１はバッファローラ５０５に巻き付けられた用紙をバッファローラ５０５から剥離してソートパス５２２に、またはバッファローラ５０５に巻き付けられた用紙を巻き付けられた状態でバッファパス５２３に導くためのフラッパである。
【００６１】
切換フラッパ５１０によりノンソートパス５２１に導かれた用紙は、排出ローラ対５０９を介してサンプルトレイ７０１上に排紙される。ノンソートパス５２１の途中には、ジャム検出などのための排紙センサ５３３が設けられている。
【００６２】
切換フラッパ５１０によりソートパス５２２に導かれた用紙は、搬送ローラ５０６，５０７を介して中間トレイ（以下、処理トレイという）６３０上に積載される。中間トレイ６３０上に束状に積載された用紙は、必要に応じて整合処理、ステイプル処理などが施された後に、排出ローラ６８０ａ，６８０ｂによりスタックトレイ７００上に排出される。処理トレイ６３０上に束状に積載された用紙を綴じるステイプル処理には、ステイプラ６０１が用いられる。このステイプラ６０１の動作については後述する。スタックトレイ７００は、上下方向に自走可能に構成されている。
【００６３】
第１製本パス５５３、第２製本パス５５４からの用紙は、搬送ローラ対８１３によって収納ガイド８２０に収納され、さらに用紙先端が可動式のシート位置決め部材８２３に接するまで搬送される。搬送ローラ対８１３の上流側には、製本入口センサ８１７が配置されている。また、収納ガイド８２０の途中位置には、２対のステイプラ８１８が設けられており、このステイプラ８１８はそれに対向するアンビル８１９と協働して用紙束の中央を綴じるように構成されている。
【００６４】
ステイプラ８１８の下流位置には、折りローラ対８２６が設けられている。折りローラ対８１６の対向位置には、突出し部材８２５が設けられている。この突出し部材８２５を収納ガイド８２０に収納された用紙束に向けて突き出すことにより、この用紙束は折りローラ対８２６間に押し出され、この折りローラ対８２６によって折りたたまれた後に、折り紙排紙ローラ８２７を介してサドル排出トレイ８３２に排出される。折り紙排紙ローラ８２７の下流側には、製本排紙センサ８３０が配置されている。
【００６５】
また、ステイプラ８１８で綴じられた用紙束を折る場合には、ステイプル処理終了後に用紙束のステイプル位置が折りローラ対８２６の中央位置になるように、位置決め部材８２３を所定距離分下降させる。
【００６６】
インサータ９００は、フィニッシャ５００の上部に設けられ、トレイ９０１上に積載された表紙、合紙を成す用紙束を順次分離し、フィニッシャパス５５２、または製本パス５５３に搬送する。ここで、インサータ９００のトレイ９０１上には、特殊用紙がユーザから見て正視状態で積載される。すなわち、特殊用紙はその表面が上に向けられた状態でトレイ９０１上に積載される。
【００６７】
また、インサータ９００はマニュアル後処理を行う際の給紙手段としても利用される。この場合も表紙や、合紙を行う場合と同様に用紙束を順次分離し、フィニッシャパス５５２、製本パス５５３へ用紙を１枚ずつ搬送する。
【００６８】
このトレイ９０１上の特殊用紙は、給紙ローラ９０２によって、搬送ローラ９０３および分離ベルト９０４からなる分離部に搬送され、最上位紙から１枚ずつ順次分離されて搬送される。
【００６９】
この分離部下流側には引き抜きローラ対９０５が配置され、この引き抜きローラ対９０５により分離された特殊用紙は、安定して搬送パス９０８に導かれる。引き抜きローラ対９０５の下流側には給紙センサ９０７が設けられ、また給紙センサ９０７と入口ローラ対５０２との間には、搬送パス９０８上の特殊用紙を入口ローラ対５０２に導くための搬送ローラ９０６が設けられている。
【００７０】
次にマニュアル後処理モードについて説明する。
【００７１】
マニュアル後処理は、プリンタ３００からの用紙に他の用紙を挿入するために使用されるインサータ９００を用いて行われる。マニュアル後処理は、操作部１５３上にて、用紙サイズ、後処理モードを指定した後、マニュアル後処理開始キーにより開始を指定することで、実行される。この具体的な操作例を、図８Ａ〜図８Ｃを用いて説明する。
【００７２】
図８Ａは、操作部１５３におけるＬＣＤパネル１８０に表示されるモード設定画面の一例を示す図である。このモード設定画面には「マニュアル動作」ボタン８１が設けられている。このボタンを押すと、ＬＣＤパネル１８０は図８Ｂに示すような用紙設定画面に切り替わる。ここで所望の用紙サイズを選択し、「次へ」ボタン８６を押すと、ＬＣＤパネル１８０は図８Ｃに示すような後処理設定画面に切り替わる。本実施形態では、ステイプル処理として、シートのコーナーの一カ所（例えば左上コーナー）をステイプルするシングルステイプル８３、シートの端部２カ所をステイプルするダブルステイプル８２、のいずれかを選択することができる。この他、製本処理８４やパンチ処理８５を選択することもできる。そして、８６がマニュアル後処理開始キーであり、これを押下することで、選択された内容のマニュアル後処理が開始されることになる。
【００７３】
具体的には、インサータ９００の分離部９０３，９０４により用紙を１枚ずつ分離して搬送パス９０８へ送り出す。その後は、指定されたモードに応じて、トレイ６３０や、トレイ８２３などで１束の積載が終了するまで積載動作を行い、終了すると指定された後処理を行い、所定のトレイへと用紙束の排出を行う。なお、本実施形態では、マニュアル後処理中インサータ９００に積載された用紙がセンサ９１０により紙なしが検出された時点で、その直前に搬送された用紙を１束の最終紙と判断しているが、操作部１５３上にて、１束あたりの枚数や、作成する部数の指定を行い、その指定に基づき１束の最終紙を判断してもよい。
【００７４】
次にスリープモード監視について図９を参照しながら説明する。
【００７５】
先ず、Ｓ１００１で、画像形成システムがプリント中かを判定し、プリント中であれば、Ｓ１００１を繰り返し、プリント中でなければＳ１００３に処理を移す。Ｓ１００３では、非プリント中の時間を計測するために、省エネ移行タイマをセットする。
【００７６】
次に、省エネスイッチがオンされた（Ｓ１００５、Ｙｅｓ）場合は、Ｓ１０３３に処理を移し、ここでマニュアル後処理の動作中であれば、マニュアル後処理に関連する箇所以外への電力供給を中止し（Ｓ１０３５）、処理をＳ１０２３へ移す。Ｓ１０２３において、マニュアル後処理中でなければ、処理をＳ１０１１に処理を移し、ＣＰＵと一部の入力部を除き電力供給を停止する。
【００７７】
また、Ｓ１００５で否定判定の場合は、Ｓ１００３でセットした省エネ移行タイマがタイムアップしたか監視し（Ｓ１００７）、タイムアップしていれば、Ｓ１０３３へ処理を移す。
【００７８】
Ｓ１００７でタイムアップしていなければ、画像形成システムのプリント動作が開始されているか監視し（Ｓ１００９）、開始されていなければ、Ｓ１００５へ戻る。また、動作が開始されていれば、Ｓ１００１へ戻る。
【００７９】
Ｓ１０１１で低電力モードに移行したあとは、マニュアル後処理許可キー１８８が押下されたか監視し（Ｓ１０１３）、押下された場合は、フィニッシャへの電力供給を再開する（Ｓ１０１９）。
【００８０】
また、Ｓ１０１３で否定判定の場合は、インサータに用紙がセットされたかを監視し（Ｓ１０１５）、されていれば、Ｓ１０１９へ処理を移し、されていなければ、処理をＳ１０１７へ移す。
【００８１】
すなわち、Ｓ１０１３でマニュアル後処理許可キー１８８が押下された場合、または、Ｓ１０１５でインサータに用紙がセットされた場合の、少なくともいずれかの場合には、Ｓ１０１９に進み、フィニッシャへの電力供給が再開されることになる。このように、Ｓ１０１３およびＳ１０１５の両方の判断がなされることが好ましいが、システムの構成に応じて、いずれか一方のみの判断であってもよい。
【００８２】
Ｓ１０１７では、省エネスイッチの状態を監視し、オンされていなければ、処理をＳ１０１３へ移し、オンされていれば、Ｓ１０２９にて全電力供給を再開した後に、処理をＳ１００１へ移す。
【００８３】
Ｓ１０１９でフィニッシャへの電力供給を再開した後は、Ｓ１０２１でマニュアル後処理動作待ちタイマをセットし、処理をＳ１０２３へ移す。
【００８４】
Ｓ１０２３では、マニュアル後処理動作が終了したか監視し、終了していれば、フィニッシャへの電力供給を中止し（Ｓ１０３１）、処理をＳ１０１３へ戻す。
【００８５】
また、Ｓ１０２３で否定判定の場合は、Ｓ１０２５で、マニュアル後処理動作待ちタイマのタイムアップを監視し、タイムアップしていれば、処理をＳ１０３１へ移し、タイムアップしていなければ、処理をＳ１０２７へ移す。Ｓ１０２７では、省エネスイッチが押下されたか監視し、オンされていなければ、処理をＳ１０２３へ戻し、オンされていれば、Ｓ１０２９へ処理を移行する。
【００８６】
次に、マニュアル後処理の監視について図１０を参照しながら説明する。
【００８７】
先ず、マニュアル後処理が許可されている状態か否かを監視し（Ｓ２００１）、許可されていれば処理をＳ２００３に移す。許可されていない場合は、継続して許可状態であるかを確認する（Ｓ２００１）。Ｓ２００３では、マニュアル後処理用の給紙トレイであるインサートトレイに用紙がセットされているかを監視する。セットされていなければ、処理をＳ２００１へ移す。インサートトレイに用紙がセットされていれば、マニュアル後処理開始キーがオンされたかを監視し（Ｓ２００５）、オンされた場合は、マニュアル後処理を実行する（Ｓ２００７）。また、マニュアル後処理キーがオンされていなければ、Ｓ２００９にて、マニュアル後処理が許可されているかを再度監視して、許可状態であれば、処理をＳ２００５へ移す。
【００８８】
また、許可されてない状態と判定された場合は、処理をＳ２００１へ移す。
【００８９】
Ｓ２００７の処理が終了した後は、Ｓ２００７へと移行する。
【００９０】
次に、マニュアル後処理について図１１を参照しながら説明する。
【００９１】
先ず、インサートトレイから用紙を１枚ずつ分離して給紙を行い（Ｓ２１０１）、操作部で指定されたトレイへ排出する（Ｓ２１０３）。排紙後、インサートトレイ上に用紙が残留していないかどうか判断し（Ｓ２１０５）、残留していなければ排出した用紙に対して操作部で指定された後処理を行い（Ｓ２１０７）本処理を終了する。残留している場合は、処理をＳ２１０１へ移す。
【００９２】
以上説明した実施形態によれば、画像形成システムが省電力モード（スリープモード）中にマニュアルで後処理を行う場合に、システム全体へ電力供給を行うことが無く余計な電力の消費を防止することができる。また、システム全体に対して電力復帰を行う必要がなくなり、マニュアル後処理に直接関係しない箇所の電力復帰処理によってスタンバイ待ちが長くなるのを防止することができる。
【図面の簡単な説明】
【００９３】
【図１】本発明の実施の一形態に係る画像形成システムの構成を示す模式図である。
【図２】図１の画像形成装置の固定原稿読みと、原稿流し読みとのそれぞれにおける画像形成に関する流れを示す図である。
【図３】図１の画像形成システム全体の制御を司るコントローラの構成を示すブロック図である。
【図４】図３の画像信号制御部２０２の構成を示すブロック図である。
【図５】図１の折り装置４００及びフィニッシャ５００の詳細構成を示す図である。
【図６Ａ】図３の電源制御部１５４の制御系統を示すブロック図である。
【図６Ｂ】実施形態におけるフィニッシャ制御部電源系統１の構成例を示す図である。
【図６Ｃ】実施形態におけるフィニッシャ制御部電源系統２の構成例を示す図である。
【図６Ｄ】実施形態におけるフィニッシャ制御部電源系統３の構成例を示す図である。
【図７】操作部１５３の構成を示す模式図である。
【図８Ａ】モード設定画面の一例を示す図である。
【図８Ｂ】用紙設定画面の一例を示す図である。
【図８Ｃ】後処理設定画面の一例を示す図である。
【図９】実施形態におけるスリープモードの監視処理を示すフローチャートである。
【図１０】実施形態におけるマニュアル後処理の監視処理を示すフローチャートである。
【図１１】実施形態におけるマニュアル後処理を示すフローチャートである。
【図１２】実施形態における電源制御部の制御モードと、各制御モードにおける制御部への電源供給状態を示すテーブルの一例を示す図である。
【図１】
2005246870.tif 000003
【図２】
2005246870.tif 000004
【図３】
2005246870.tif 000005
【図４】
2005246870.tif 000006
【図５】
2005246870.tif 000007
【図６Ａ】
2005246870.tif 000008
【図６Ｂ】
2005246870.tif 000009
【図６Ｃ】
2005246870.tif 000010
【図６Ｄ】
2005246870.tif 000011
【図７】
2005246870.tif 000012
【図８Ａ】
2005246870.tif 000013
【図８Ｂ】
2005246870.tif 000014
【図８Ｃ】
2005246870.tif 000015
【図９】
2005246870.tif 000016
【図１０】
2005246870.tif 000017
【図１１】
2005246870.tif 000018
【図１２】
2005246870.tif 000019